(57)【特許請求の範囲】
【請求項１】
側板と踏み板と蹴込み板とを備えた階段の該踏み板直下に設けられ、該蹴込み板の板面部から前方に向けて引き出して使用される階段下の引き出し式収納であって、
該踏み板の下面に一体的に垂下支持されて設けられると共に、前面が開口形成されてその周縁部に矩形の枠体が取り付けられている外箱と、
該外箱にスライド手段を介して前後に移動自在に取り付けられて、前方に引き出し可能な内箱とを有し、
該蹴込み板の上辺側には、該外箱の枠体の大きさに対応されて該枠体の外周面に沿う矩形の切欠部が形成されている、ことを特徴とする階段下の引き出し式収納。
【請求項２】
前記スライド手段がスライドレールでなり、該スライドレールは前記外箱の内面と前記内箱の外面との間に介在されていることを特徴とする請求項１に記載の階段下の引き出し式収納。
【請求項３】
前記枠体の外周面には、前記蹴込み板の切欠部の内周の端縁を嵌合させるための嵌合溝が設けられ、該嵌合溝に該蹴込み板の切欠部の内周の端縁が嵌め込まれて係止される、ことを特徴とする請求項１または２に記載の階段下の引き出し式収納。
【請求項４】
前記外箱には、その左右両側壁の上端部外面に沿って該外箱を前記踏み板の下面に垂下支持するための桟部材が設けられ、該桟部材には上下に貫通するネジ挿通孔が形成されて、該ネジ挿通孔に挿通されたネジによって該外箱が該踏み板の下面に締結固定される、ことを特徴とする請求項１〜３のいずれかに記載の階段下の引き出し式収納。
【請求項５】
前記内箱には、前記前面板の外周縁が外方に延出されて鍔部が形成され、前記外箱の枠体内周面には、該鍔部が嵌合して係止される段部が形成されている、ことを特徴とする請求項１〜４のいずれかに記載の階段下の引き出し式収納。
【請求項６】
前記階段を構成する側板と踏み板と蹴込み板との各部材は、その長さ、幅、厚みの基本寸法が建築基準法やバリヤフリー住宅等の各種規定に準じて規格化されて予め複数種の標準設定品群として用意され、該各部材が個別の住宅の階段幅、階段数、蹴上げ寸法、踏み面寸法、段鼻寸法等の階段設計寸法に合わせて所定形状にプレカットされて施工現場で階段に組み立てられ、
前記外箱はその枠体の幅寸法と高さ寸法とが、前記各種規定に準じて算出される蹴込み板の最小露出寸法よりも小さく設定されて前記内箱とともに標準設定品化されている、ことを特徴とする請求項１〜５のいずれかに記載の階段下の引き出し式収納。
【発明の詳細な説明】
【技術分野】
【０００１】
この発明は、階段下の引き出し式収納に係わり、特に、踏み板の直下に設けられて、その空間を収納部として有効利用して前方への引き出しが可能であり、かつ個々の住宅の階段設計寸法の制約を受けずに汎用的に設置可能で、もって廉価に提供し得る、階段下の引き出し式収納に関する技術である。
【背景技術】
【０００２】
一般に、住宅にあっては、階段の下方空間を有効に利用して収納部等を設けるようにしているが、階段の４段目若しくは５段目辺りまでの低段部では、踏み板の設置面高さが低いことに起因してその下方空間は使い勝手が悪く、このためデッドゾーンとして壁面で囲われて未使用空間とされてしまう場合が多かった。また、高段部であってもその踏み板直下の空間は概してデッドゾーンの未使用空間とされている場合が多かった。
【０００３】
そこで、上記のようなデッドゾーンをも有効に利用可能にする階段下収納の技術として、例えば、特許文献１（実開平４−１０１４４９号公報）や、特許文献２（特開平５−２４８０８０号公報）、特許文献３（特開２００５−９０９２号公報）、特許文献４（実用新案登録第３１２４７８６号公報）等にて開示されているものがある。
【０００４】
即ち、特許文献１には、「複数の踏板の下方側面が解放された階段において、それぞれの踏板の下方にその下面までの高さと略等しい高さを有する複数の収納キャビネットを各々の踏み板の幅方向に沿って摺動自在に設けて、解放された側面方向から引き出し可能に嵌合させる。」という技術が示されている。
【０００５】
また、特許文献２には、「踏み板とけこみ板とでなる階段要素を複数段有するとともに側板を有している階段を備えた階段下収納装置であって、階段要素の下方と側板の内側との空間を階段下収納室となして、当該階段の登り口近傍の階段要素を側面板で連結して階段ユニットを構成し、この階段ユニットを残りの階段要素に対して上下方向に開閉自在に取付けることにより、階段ユニットを上下方向に開閉自在となして、階段の側面が利用できなくても、階段下の空間を収納室として使用できるようにする。」という技術が示されている。
【０００６】
また、特許文献３には、「蹴込み板と、この蹴込み板と直交するように取付け接合される踏み板と、前記蹴込み板を取付け固定する側板とを有する階段であって、前記踏み板は前端側を上下に開放可能にすべくその後端側を開閉用のヒンジを介して後方の蹴込み板に取り付け、この踏み板の下方には、その前端側の蹴込み板の後方に少なくとも底面板と奥面板とを有した箱状の収納部を形成し、踏み板の開放状態を開閉補助手段で保持するようにした収納階段。」の技術が示されている。
【０００７】
また、特許文献４には、「階段下の空間を利用した引出しであって、階段の蹴込み板を前板とする箱状の引き出し部材を、踏み板の直下にその全幅に亘って設けて、階段の正面側に引き出して使用可能にする。」という技術が示されている。
【特許文献１】実開平４−１０１４４９号公報
【特許文献２】特開平５−２４８０８０号公報
【特許文献３】特開２００５−９０９２号公報
【特許文献４】実用新案登録第３１２４７８６号公報
【発明の開示】
【発明が解決しようとする課題】
【０００８】
しかしながら、上記特許文献１の階段下収納にあっては、踏み板の下方部における幅方向の側面が、例えば、壁になっている等して解放することができない場合には採用することができないという課題がある。
【０００９】
また、上記特許文献２の階段下収納にあっては、階段の登り口近傍の階段要素を側面板で連結して階段ユニットを構成し、この階段ユニットを残りの階段要素に対して上下方向に開閉自在に取付けるので、階段ユニットが大型化してしまい開閉操作性に難点が生じてしまうという課題がある。また、階段ユニットを開閉させるために、当該階段ユニットを構成する踏み板とけこみ板との幅方向両側部は、階段の側板から離間させねばならず、当該部位に隙間が生じて見栄えが悪くなるばかりか、当該隙間から埃や塵、ゴミ等が収納室内に入り込んでしまうという課題もある。
【００１０】
また、上記特許文献３の階段下収納にあっては、踏み板の直下に箱状の収納部を形成するとともに、当該踏み板の後端側を開閉用のヒンジを介して後方の蹴込み板に取り付けて前端側を上下に開放可能となして収納部の上面を覆う開閉蓋として機能させるので、この場合も同様に、踏み板の幅方向両側部は側板から離間させて隙間を形成しなければならず、見栄えを悪くしてしまうと言う課題がある。また、踏み板の後端部を後方の蹴込み板の下部にヒンジを介して取り付けるので、開閉蓋たる踏み板の開放時の開口角度を十分に取ることができず、被収納物の出し入れがし難く、しかも奥行きが踏み板の奥行き寸法よりも小さくなるので、当該寸法の制約からその収納容量に限界があって当該収納容量を大きくできないという課題がある。
【００１１】
一方、上記特許文献４の階段下収納にあっては、階段の踏み板の直下に、蹴込み板を前板として踏み板の全幅に亘る引き出し部材を、前方に向けて引き出し可能に設けるので、踏み板の幅方向両側部と側板との間に隙間が生じることはなく、もって見栄えが悪くなるることがなく、また、引き出しの奥行き寸法を大きく設定することで、その収納容量もそこそこに確保し得る。しかし、また、この種の引き出し式の収納では、その開閉操作時に被収納物が引き出し外にこぼれ落ちてしまうことがまま生じるのを避けがたいのであるが、当該特許文献４の引き出しであると、こぼれ落ちた被収納物が引き出し後方の階段下空間に落下してしまう虞があり、この様な場合には、その落下した被収容物を回収することが非常に面倒なことになるという課題がある。
【００１２】
また、当該特許文献４の階段下収納では、引き出し部材は蹴込み板を前板として蹴込み板の全幅及び全高に亘る大きさにしているので、引き出し部材の開閉操作を繰り返し行っていると、下段の踏み板の表面に擦過傷を生じさせてしまうという課題がある。さらには、階段幅寸法や蹴上げ高さ寸法等の階段設計寸法は個々の住宅毎に異なったものとなるため、引き出し部材を標準製品化するのが困難であり、これ故、個々の住宅の階段設計寸法に合わせて、引き出し部材を特注して製作せざるを得なくなる。従って、コスト高になることを余儀なくされるという課題がある。
【００１３】
この発明は、係る課題を解消するためになされたものであり、その第１の目的は、階段の踏み板直下の空間を前方への引き出し式の収納として有効に利用でき、しかも開閉操作時に下段の踏み板表面を傷つけることがなく、かつ、引き出しからこぼれ落ちた被収納物の回収も容易に行い得る、階段下の引き出し式収納を提供することにある。また、第２の目的は、個々の住宅の階段設計寸法の相違に応じて容易に汎用性高く設置できて、コストの低減化が図り得る、階段下の引き出し式収納を提供することにある。
【課題を解決するための手段】
【００１４】
かかる目的を達成するために、本願の請求項１に係る発明は、側板と踏み板と蹴込み板とを備えた階段の該踏み板直下に設けられ、該蹴込み板の板面部から前方に向けて引き出して使用される階段下の引き出し式収納であって、該踏み板の下面に一体的に垂下支持されて設けられると共に、前面が開口形成されてその周縁部に矩形の枠体が取り付けられている外箱と、該外箱にスライド手段を介して前後に移動自在に取り付けられて、前方に引き出し可能な内箱とを有し、該蹴込み板の上辺側には、該外箱の枠体の大きさに対応されて該枠体の外周に沿う矩形の切欠部が形成されている、ことを特徴とする。
【００１５】
ここで、前記スライド手段にはスライドレールを用い、該スライドレールは前記外箱の内面と前記内箱の外面との間に介在させる構成となし得る。
【００１６】
また、前記枠体の外周面には、前記蹴込み板の切欠部の内周の端縁を嵌合させるための嵌合溝を設け、該嵌合溝に該蹴込み板の切欠部の内周の端縁を嵌め込んで係止させる構成となし得る。
【００１７】
さらに、前記外箱には、その左右両側壁の上端部外面に沿って該外箱を前記踏み板の下面に垂下支持するための桟部材を設け、該桟部材には上下に貫通するネジ挿通孔を形成して、該ネジ挿通孔に挿通したネジによって該外箱を該踏み板の下面に締結固定する構成となし得る。
【００１８】
さらにまた、前記内箱には、前記前面板の外周縁を外方に延出させて鍔部を形成し、前記外箱の枠体の内周面には、該鍔部が嵌合して係止される段部を形成する構成となし得る。
【００１９】
また、望ましくは、前記階段を構成する側板と踏み板と蹴込み板との各部材は、その長さ、幅、厚みの基本寸法が建築基準法やバリヤフリー住宅等の各種規定に準じて規格化されて予め複数種の標準設定品群として用意され、該各部材が個別の住宅の階段幅、階段数、蹴上げ寸法、踏み面寸法、段鼻寸法等の階段設計寸法に合わせて所定形状にプレカットされて施工現場で階段に組み立てられ、前記外箱はその枠体の幅寸法と高さ寸法とが、前記各種規定に準じて算出される蹴込み板の最小露出寸法よりも小さく設定されて前記内箱とともに標準設定品化されている構成とするのが良い。
【発明の効果】
【００２０】
この発明に係る階段下の引き出し式収納によれば、踏み板の下面に外箱を垂下支持して、この外箱内に前後に引き出し可能な内箱を設けて構成するので、開閉操作時に内箱から被収納物がこぼれ落ちても外箱にて受け止めることができ、もって当該被収納物が外箱後方の階段下空間に落下してしまうことを可及的に防止し得て、外箱内にこぼれ落ちた被収納物を容易に回収できるようになる。また、内箱を開閉操作しても当該内箱の下端部が下段の踏み板の表面に擦り当たることがなく、下段の踏み板の表面に擦過傷を生じさせてしまうことを防止できる。また、この階段下の引き出し式収納を、階段の低段部分の踏み板の直下に設ければ、当該低段部分の階段下空間をデッドスペースにすることなく、使い勝手の良い収納部として有効に活用できる。
【００２１】
さらに、階段を構成する側板と踏み板と蹴込み板との各構成部材が、その長さ、幅、厚みの基本寸法を、建築基準法やバリヤフリー住宅等の各種規定に準じて規格化して予め複数種の標準設定品群として用意され、該各構成部材が個別の住宅の階段幅、階段数、蹴上げ寸法、踏み面寸法、段鼻寸法等の階段設計寸法に相応されて所定形状にプレカットされて施工現場で階段に組み立てられようにした階段を取り付け対象にして、外箱の枠体の幅寸法と高さ寸法とを、前記各種規定に準じて算出される蹴込み板の最小露出寸法よりも小さく設定して、当該外箱を内箱とともに標準設定品化することで、個々の住宅の階段設計寸法が相違しても、当該寸法の相違に拘わらず容易に汎用性高く設置でき、もってコストの低減化を図ることができるようになる。
【発明を実施するための最良の形態】
【００２２】
以下、本発明の好適な実施の形態例について添付図面を用いて説明する。図１は本発明に係る階段下の引き出し収納を示す正面図であり、図２は図１中のII−II線部の矢視断面図、図３は図１中のIII−III線部の矢視断面図である。
【００２３】
図１〜図３に示すように、住宅用の階段２は、主に側板４と踏み板６と蹴込み板８とから構成されている。そして、これらの各構成部材４，６，８は、その長さ，幅，厚みの基本寸法が建築基準法やバリヤフリー住宅等で規定されている、階段幅寸法（側板外々寸法）Ｗ０、蹴上げ寸法Ｒ、踏み面寸法Ｔ、段鼻寸法Ｓ等の各種寸法（図２参照）の最小値及び最大値に柔軟に対応し得るように規格化されて、複数種の標準設定製品群として予め用意されている。そして、これらの各構成部材４，６，８は個別の住宅の階段幅寸法Ｗ０、階段数、蹴上げ寸法Ｒ、踏み面寸法Ｔ、段鼻寸法Ｓ等の階段設計寸法に応じて、それぞれ所定形状にプレカットされて納品され、施工現場にて階段２に組み立てるようになっている。
【００２４】
即ち、踏み板６は階段幅寸法Ｗ０と踏み面寸法Ｔとに応じてその外形をプレカットされるとともに、段鼻寸法Ｓに応じて下面に蹴込み板用の嵌合溝１０がプレカットされる。また、蹴込み板８は階段幅寸法Ｗ０と蹴上げ寸法Ｒとに応じてその外形がプレカットされる。また、側板４は段数と蹴上げ寸法Ｒと踏み面寸法Ｔ及び段鼻寸法Ｓとに応じて、その長さ等の外形寸法がプレカットされるとともに、踏み板用の嵌合溝１２、蹴込み板用の嵌合溝１０とがプレカットされる。
【００２５】
組み立てに際しては、先ず、一対の側板４が壁部の柱材等（図示せず）に固定されて所定の位置に取り付けられた後、当該側板４に刻設された踏み板用の嵌合溝１２に踏み板６が後方から嵌合挿通されて固定される。そして、踏み板６の固定が終わると、側板４に刻設されている蹴込み板用の嵌合溝１０に蹴込み板８を下方から嵌合挿通させ、その上端部を上方の踏み板６の下面に刻設されている嵌合溝１２に嵌め込む一方、当該蹴込み板８の下端部を下段の踏み板６の後端面に固定して取り付けるようになっている。
【００２６】
ところで、上記階段２には所望する段の踏み板６の直下に収納１４が設けられている。この収納１４は、蹴込み板８の板面部から前方に向けて引き出して使用される階段下の引き出し式収納であって、踏み板６の下面に一体的に垂下支持されて設けられると共に前面が開口形成されてその開口の周縁部に沿って矩形の枠体１６が取り付けられている外箱１８と、この外箱１８の左右両側壁の内面にスライド手段２０を介して前後に移動自在に取り付けられて前方に引き出し可能な内箱２２とを有している。
【００２７】
上記外箱１８には、その左右両側壁の上端部外面に沿って当該外箱１８を上記踏み板６の下面に垂下支持するための桟部材２４が設けられ、この桟部材２４には、上下に貫通するネジ挿通孔（道穴）２８が形成されて、このネジ挿通孔２８に挿通されたネジによって外箱１８が踏み板６の下面に締結固定されるようになっている。
【００２８】
ここで、図示した実施形態にあっては、外箱１８を垂下支持する踏み板６の下面には、外箱支持用の桟部材２４を止着するための複数の雌ネジ２６が前後方向に沿って左右２列で対称に予め埋め込まれている。また、上記桟部材２４は角棒状をなしていて、これに貫通形成された第１のネジ挿通孔２８に雄ネジ３０を挿通して上記雌ネジ２６に螺合させることで当該桟部材２４を締結固定する様になっている。
【００２９】
外箱１８は左右の側壁面を形成する一対の側面板３２と、当該一対の側面板３２の後端部に接合固定されて後面壁を形成する後面板３４と、当該一対の側面板３２と後面板３４との下端部に接合固定されて底壁面を形成する底板３６とを有し、前面と上面とが開放された直方体状になっている。そして、その前面の開放された開口の周縁に沿って上記矩形の枠体１６が取り付けられている。即ち、この枠体１６を形成する左右の縦桟１６ａと下側の横桟１６ｂとには、その後面に溝部３８が刻設されていて、これらの溝部３８に外箱１８の左右の側面板３２と底板３６との前端部が嵌め込まれて固定止着されている。
【００３０】
また、外箱１８には、その左右の両側壁を形成する側面板３２の外側の上端部に沿って、当該外箱１８を支持するための上記桟部材２４が取り付けられる。ここで、この桟部材２４は、その前端部が上記枠体１６に近接してその後方部に位置され、後端部は側面板３２の後端部まで延びている。また、側面板３２は当該外箱１８が取り付けられる踏み板６のさらに１段上の踏み板６の後端部付近まで延びている。つまり、桟部材２４は側面板３２の奥行き寸法のほぼ全長に亘って設けられており、外箱１８の強度を高める補強部材としての機能も持たされている。
【００３１】
そして、当該桟部材２４の側面板３２への取り付けは、前述した踏み板６の下面への取り付けと同様に、雄ネジ３０による締結で行うようになっている。即ち、図３に示すように、桟部材２４には、踏み板６への取付用の第１のネジ挿通孔２８と直角に交差して外箱取付用の複数の第２のネジ挿通孔４０が貫通形成されている。そして、これらの第２のネジ挿通孔４０に対応して外箱１８の側面板３２には、その外面側に複数の雌ネジ２６が埋め込まれて設けられており、第２のネジ挿通孔４０に挿通した雄ネジ３０を外箱１８の雌ネジ２６に螺合させて締結固定することで外箱１８が取り付けられるようになっている。ここで、階段２の低段部における踏み板６の下面に外箱１８を取り付けることを考慮すると、大きくて重い外箱１８を下方からネジ止めするよりも、小さくて軽量な桟部材２４を先に踏み板６の下面に取り付けておいて、外箱１８はその桟部材２４に横方向からネジ止めして固定する方が操作性が良く、組み立てを容易に行える。
【００３２】
なお、桟部材２４は側面板３２側に予め一体的に固着させて設けておく様にしても勿論良い。この場合には、詳しくは図示しないが、外箱１８の側面板３２に道穴としてネジ挿通孔を形成し、外箱の内側から木ネジを挿通孔に通して桟部材２４に螺合させて当該桟部材２４を外箱１８にネジ締め固定すると良い。また、踏み板６への取り付けも木ネジで締結固定するようにしても良い。このように木ネジを使用する構成となせば、踏み板６や外箱１８の側面板３２に雌ネジを埋設する必要がなく、その分のコスト低減が図れる。
【００３３】
そして、上記外箱１８内には内箱２２が設けられる。この内箱２２は左右の側壁面を形成する一対の側面板４２と、当該一対の側面板４２の後端部に接合固定されて後壁面を形成する後面板４４と、当該一対の側面板４２と後面板４４との下端部に接合固定されて底壁面を形成する底板４６と、当該一対の側面板４２と底板４６との前端部に接合固定されて前壁面を形成する前面板４８とを有し、上面が開放された直方体状になっている。
【００３４】
ここで、当該内箱２２は、外箱１８の左右両側壁を形成している側面板３２の内面にスライド手段２０を介して前後に移動自在に取り付けると良い。当該スライド手段２０としては、固定側のアウターレールと、このアウターレール内を前後に移動する可動側のインナーレールとを有して、家具の引き出し等に多用されている市販のスライドレール等を採用し得る。そして、この様なスライドレールを用いる場合には、アウターレールを外箱１８の側面板３２の内面に取り付け、インナーレールを内箱２２の側面板４２の外面に取り付けて外箱１８と内箱２２との間に介在させる。
【００３５】
また、内箱２２の前面板４８には、その外周端縁が上下及び左右方向の外方に延出されることによって突出形成された鍔部４８ａが設けられており、当該鍔部４８ａに対応して前記外箱１８の枠体１６の内周面には、当該鍔部４８ａが嵌合して当接係止される段部５０が設けられている。当該段部５０は内箱２２を外箱１８内に押し込んだ閉状態で、前面板４８が枠体１６内に収納されて両部材１６，４８の表面が平坦な面一になるように形成されている。
【００３６】
また、外箱１８を踏み板６の下面に取り付けた状態において、枠体１６はその前端部側が蹴込み板８の配設位置にあり、当該蹴込み板８の上辺には、枠体１６の大きさに対応されてこの枠体１６の縦桟１６ａと下側の横桟１６ｂとの外周面に沿う矩形の切欠部５２が形成される。そして、枠体１６の縦桟１６ａと下側の横桟１６ｂとの外周面には、蹴込み板８の配設位置に対応されて、当該蹴込み板８に形成された上記切欠部５２の内周の端縁５２ａを嵌め込むための嵌合溝１１が刻設されており、蹴込み板８が下方から組み付けられるときに、その切欠部５２の内周の端縁５２ａが当該嵌合溝１１に嵌め込まれて止着固定されるようになっている。
【００３７】
ここで、前記外箱１８は、その枠体１６の幅寸法Ｗ２と高さ寸法Ｈ２とを、前述した建築基準法やバリヤフリー住宅等の各種規定に準じて算出される蹴込み板８の最小露出寸法よりも小さく設定して、前記内箱２２とともに標準設定品化しておくのが望ましい。即ち、蹴込み板８が階段２の立ち上がり部にて露出される、その最小露出寸法は、図１に示すように、その横幅Ｗ１が階段幅寸法Ｗ０から側板４の２枚分の厚みを引いたものとなり、高さ寸法Ｈ１が図２に示すように、蹴上げ寸法Ｒから踏み板６の厚みｔを引いたものとなる。この様に、蹴込み板８の最小露出寸法Ｗ１，Ｈ１よりも、外箱１８の枠体１６の幅寸法Ｗ２と高さ寸法Ｈ２とを小さく設定して、外箱１８及び内箱２２を標準設定品化しておけば、個々の住宅における階段２の諸寸法が如何様に相違しても、当該外箱１８と内箱２２とからなる引き出し式収納１４を、その諸寸法の相違に拘わらずに、容易に汎用性高く取り付けることができるようになって、階段下の引き出し式収納１４のコストを可及的に低減させて廉価に提供できるようになる。
【００３８】
なお、内箱２２の前面板４８には、掴み部が出没自在にポップアップする取手部材５４、或いは凹部等が手掛け部として左右一対で設けられる。また、建築基準法やバリヤフリー住宅等の各種規定の諸寸法は下記の規定寸法表に示す様に定められている。
【００３９】
0004174067.tif 000002
【図面の簡単な説明】
【００４０】
【図１】本発明に係る階段下の引き出し収納を示す正面図である。
【図２】図１中のII−II線部の矢視断面図である。
【図３】図１中のIII−III線部の矢視断面図である。
【符号の説明】
【００４１】
２  階段
４  側板
６  踏み板
８  蹴込み板
１０  蹴込み板用の嵌合溝
１２  踏み板用の嵌合溝
１４  階段下の引き出し式収納
１６  枠体
１８  外箱
２０  スライド手段
２２  内箱
２４  桟部材
２６  雌ネジ
２８  第１のネジ挿通孔
３０  雄ネジ
３２  側面板（外箱）
３８  溝部
４０  第２のネジ挿通孔
４２  側面板（内箱）
４８  前面板
４８ａ  鍔部
５０  段部
５２  切欠部
【要約】
【課題】階段の踏み板直下の空間を前方への引き出し式の収納として有効に利用でき、しかも開閉操作時に下段の踏み板表面を傷つけることがなく、かつ、引き出しからこぼれ落ちた被収納物の回収も容易に行い得る、階段下の引き出し式収納を提供する。
【解決手段】側板４と踏み板６と蹴込み板８とを備えた階段２の該踏み板直下に設けられ、該蹴込み板の板面部から前方に向けて引き出して使用される階段下の引き出し式収納であり、該踏み板の下面に一体的に垂下支持されて設けられると共に、前面が開口形成されてその周縁部に矩形の枠体１６が取り付けられている外箱１８と、該外箱の左右両側壁の内面にスライド手段２０を介して前後に移動自在に取り付けられて前方に引き出し可能な内箱２２とを有し、該蹴込み板の上辺側には該外箱の枠体に相応した矩形の切欠部５２が形成され、該切欠部の縁部が該枠体の外周面に形成されている嵌合溝１０に嵌め込まれて係止される。
【選択図】  図２【図１】
0004174067.tif 000003
【図２】
0004174067.tif 000004
【図３】
0004174067.tif 000005